(57)【要約】【課題】シート、及び薄板形状の被記録部材を支持するトレイが搬送される搬送装置において、シートの摺動摩擦を軽減すると共に、トレイを安定して搬送することができる手段を提供する。【解決手段】プリンタ部１１は、湾曲部３２及び直線部３３が配置された第１搬送路２３と、直線部３３から直線状に延びる第２搬送路２４と、直線部３３に設けられて記録用紙又はトレイ１１０を挟持して搬送する搬送ローラ対２６と、搬送ローラ対２６より湾曲部３２側に設けられたガイドローラ２７と、ガイドローラ２７を、湾曲部３２から搬送ローラ対２６へ向かって搬送される記録用紙に当接して回転する第１姿勢と、搬送ローラ対２６に挟持されて直線部３３から第２搬送路２５に搬送されるトレイ１１０を支持する第２姿勢とに姿勢変化可能に支持する支持機構３５と、を具備する。【選択図】図２
2011031996.tif 000002
【特許請求の範囲】
【請求項１】
シートの搬送方向に沿って、シートが湾曲されて案内される湾曲部、及びシートが直線状に延びて案内される直線部が配置された第１経路と、
上記直線部から直線状に延びており、薄板形状の被記録部材を支持するトレイが案内される第２経路と、
上記直線部に設けられており、上記シート又は上記トレイを挟持して搬送する搬送手段と、
上記搬送手段より上記湾曲部側に設けられたガイドローラと、
上記ガイドローラを、上記湾曲部から上記搬送手段へ向かって搬送されるシートに当接して回転する第１姿勢と、上記搬送手段に挟持されて上記直線部から上記第２経路に搬送されるトレイを支持する第２姿勢とに姿勢変化可能に支持する第１支持機構と、を具備する搬送装置。
【請求項２】
上記第１支持機構は、上記第２姿勢において、上記第１姿勢より上記搬送手段から離れた位置へ上記ガイドローラを移動させる請求項１に記載の搬送装置。
【請求項３】
上記搬送手段は、
駆動ローラと、
上記駆動ローラに従動する従動ローラと、
上記従動ローラを、上記駆動ローラに接触する第３姿勢と、上記駆動ローラから離れる第４姿勢とに姿勢変化可能に支持し、かつ、第４姿勢において、第３姿勢より上記ガイドローラから離れた位置へ上記従動ローラを移動させる第２支持機構と、を具備する請求項１又は２に記載の搬送装置。
【請求項４】
上記ガイドローラが上記第１姿勢側へ移動するように付勢する付勢手段と、
上記付勢手段により付勢された上記ガイドローラが、上記第１姿勢より上記搬送手段側へ移動することを規制する規制部材と、を更に具備し、
上記ガイドローラは、上記直線部から上記第２経路へ向かうトレイが当接することによって、上記付勢手段による付勢に抗して上記第２姿勢へ姿勢変化される請求項１から３のいずれかに記載の搬送装置。
【請求項５】
上記ガイドローラは、上記湾曲部の内側に配置されて回動可能なアームに回動自在に設けられて、上記第１姿勢と上記第２姿勢とに姿勢変化されるものである請求項１から４のいずれかに記載の搬送装置。
【請求項６】
上記ガイドローラは、上記第１経路の湾曲部に対して内側に配置されたものである請求項１から５のいずれかに記載の搬送装置。
【請求項７】
請求項１から６のいずれかに記載の搬送装置と、
上記第１経路の直線部に設けられて、当該直線部を搬送されるシート、又はトレイに支持された被記録部材に画像記録を行う記録部と、を具備する画像記録装置。
【発明の詳細な説明】
【技術分野】
【０００１】
本発明は、シート、及び薄板形状の被記録部材を支持するトレイが搬送される搬送装置、並びに当該搬送装置を備えた画像記録装置に関する。
【背景技術】
【０００２】
画像記録装置は、被記録媒体を搬送して画像記録を行う。インクジェット方式の画像記録装置は、様々な被記録媒体に画像記録を行い得る。インクジェット方式の画像記録装置の被記録媒体として、記録用紙などのシートや、ＣＤやＤＶＤなどの薄板形状の部材が挙げられる。
【０００３】
また、画像記録装置においては、被記録媒体は、搬送路と称される経路を搬送されつつ画像記録が行われる。この搬送路には、湾曲されたものがある。記録用紙などのシートは、湾曲した搬送路に沿って撓むことが可能である。ＣＤやＤＶＤなどは、定形の記録用紙に対応した搬送路に合致するトレイなどに載置されて、搬送路を搬送されつつ画像記録が行われる。このトレイの搬送路は、直線形状が採用される。
【０００４】
従来より、前述されたような被記録媒体の種類に対応して２種類の搬送路を有し、これら２種類の搬送路の交差位置において姿勢変化可能なガイドが設けられて、当該ガイドによって、それぞれが対応する搬送路に被記録媒体又はトレイが案内される構成が知られている（特許文献１参照）。
【先行技術文献】
【特許文献】
【０００５】
【特許文献１】特開２００５−１４４９３１号公報
【発明の概要】
【発明が解決しようとする課題】
【０００６】
搬送路に沿って搬送されて湾曲するシートは、自身の腰によって真っ直ぐに弾性復帰しながら搬送路のガイド面に圧接する。この弾性復帰により生じるガイド面とシートとの摺動摩擦が、画像記録における搬送精度に影響することが懸念される。例えば、摺動摩擦が大きいために、目標搬送量より少なくシートが搬送されたり、摺動摩擦の変動によってシートの搬送量が不安定になることが想定される。
【０００７】
また、特許文献１に記載されたガイドは、記録用紙を案内する面と、ＣＤなどが載置されたトレイを案内する面とが同一である。そのため、記録用紙などと比較して固いトレイが何度もガイドの面に対して摺動すると、ガイドの面が傷つくおそれがある。特に、搬送路が湾曲している形態では、記録用紙に対する摺動摩擦を軽減するために、ＰＯＭに代表されるような摩擦係数が小さな素材が採用されるが、ガイドの面が傷つくことによって摺動摩擦が大きくなり、記録用紙が円滑に搬送されないおそれが生じる。
【０００８】
本発明は、前述された事情に鑑みてなされたものであり、その目的は、シート、及び薄板形状の被記録部材を支持するトレイが搬送される搬送装置において、シートの摺動摩擦を軽減すると共に、トレイを安定して搬送することができる手段を提供することにある。
【課題を解決するための手段】
【０００９】
(1)  本発明に係る搬送装置は、シートの搬送方向に沿って、シートが湾曲されて案内される湾曲部、及びシートが直線状に延びて案内される直線部が配置された第１経路と、上記直線部から直線状に延びており、薄板形状の被記録部材を支持するトレイが案内される第２経路と、上記直線部に設けられており、上記シート又は上記トレイを挟持して搬送する搬送手段と、上記搬送手段より上記湾曲部側に設けられたガイドローラと、上記ガイドローラを、上記湾曲部から上記搬送手段へ向かって搬送されるシートに当接して回転する第１姿勢と、上記搬送手段に挟持されて上記直線部から上記第２経路に搬送されるトレイを支持する第２姿勢とに姿勢変化可能に支持する第１支持機構と、を具備する。
【００１０】
シートは、第１経路の湾曲部から直線部へと搬送される。トレイは、第１経路の直線部から第２経路へ搬送される。シートが搬送されるときには、ガイドローラが第１姿勢になる。このガイドローラが第１経路を搬送されるシートに当接して回転することによって、湾曲部を搬送されるシートの摺動摩擦が小さくなる。
【００１１】
トレイが搬送されるときには、ガイドローラが第２姿勢になる。このガイドローラがトレイを支持することによって、トレイが安定して搬送される。なお、ガイドローラによるトレイの支持は、トレイを下側から担ぐように支持するものであっても、トレイを上側から押さえることによって搬送手段と協働して支持するものであってもよい。
【００１２】
(2)  上記第１支持機構は、上記第２姿勢において、上記第１姿勢より上記搬送手段から離れた位置へ上記ガイドローラを移動させるものであってもよい。
【００１３】
これにより、搬送手段から第２姿勢のガイドローラまでの距離が長くなるので、トレイをより安定して搬送することができる。
【００１４】
(3)  上記搬送手段は、駆動ローラと、上記駆動ローラに従動する従動ローラと、上記従動ローラを、上記駆動ローラに接触する第３姿勢と、上記駆動ローラから離れる第４姿勢とに姿勢変化可能に支持し、かつ、第４姿勢において、第３姿勢より上記ガイドローラから離れた位置へ上記従動ローラを移動させる第２支持機構と、を具備するものであってもよい。
【００１５】
これにより、従動ローラから第２姿勢のガイドローラまでの距離が長くなるので、トレイをより安定して搬送することができる。
【００１６】
(4)  本発明に係る搬送装置は、上記ガイドローラが上記第１姿勢側へ移動するように付勢する付勢手段と、上記付勢手段により付勢された上記ガイドローラが、上記第１姿勢より上記搬送手段側へ移動することを規制する規制部材と、を更に具備するものであってもよい。上記ガイドローラは、上記直線部から上記第２経路へ向かうトレイが当接することによって、上記付勢手段による付勢に抗して上記第２姿勢へ姿勢変化される。
【００１７】
これにより、ガイドローラを姿勢変化させる駆動力を入力することなく、シート搬送時にガイドローラが第１姿勢にされ、かつトレイ搬送時にガイドローラが第２姿勢にされる。
【００１８】
(5)  上記ガイドローラとして、上記湾曲部の内側に配置されて回動可能なアームに回動自在に設けられて、上記第１姿勢と上記第２姿勢とに姿勢変化されるものが挙げられる。
【００１９】
(6)  上記ガイドローラは、上記第１経路の湾曲部に対して内側に配置されることが好ましい。
【００２０】
(7)  本発明は、上記搬送装置と、上記第１経路の直線部に設けられて、当該直線部を搬送されるシート、又はトレイに支持された被記録部材に画像記録を行う記録部と、を具備する画像記録装置として捉えられてもよい。
【発明の効果】
【００２１】
本発明によれば、第１姿勢のガイドローラが第１経路を搬送されるシートに当接して回転することによって、湾曲部を搬送されるシートの摺動摩擦が小さくなり、かつ、第２姿勢のガイドローラがトレイを支持することによって、トレイが安定して搬送される。これにより、シートの摺動摩擦を軽減すると共に、トレイを安定して搬送することができる搬送装置が実現される。
【図面の簡単な説明】
【００２２】
【図１】本発明の実施形態に係る複合機１０の外観斜視図である。
【図２】プリンタ部１１の内部構成を示す縦断面図である。
【図３】ガイドローラ２７及び従動ローラ４６等の構成を示す部分斜視図である。
【図４】ガイドローラ２７及び従動ローラ４６等の構成を示す部分斜視図である。
【図５】図３におけるＶ−Ｖ切断線による断面を示す部分断面図である。
【図６】トレイ１１０の構成を示す斜視図である。
【図７】トレイ１１０が搬送されている状態を示す縦断面図である。
【図８】図３におけるＶ−Ｖ切断線による断面において、トレイ１１０が搬送されている状態を示す部分断面図である。
【図９】トレイ１１０が搬送されている状態を示す縦断面図である。
【図１０】図３におけるＶ−Ｖ切断線による断面において、トレイ１１０が搬送されている状態を示す部分断面図である。
【発明を実施するための形態】
【００２３】
以下、適宜図面が参照されつつ本発明の好ましい実施形態が説明される。なお、以下に説明される実施形態は本発明の一実施形態にすぎず、本発明の要旨を変更しない範囲でこの実施形態が適宜変更されることは言うまでもない。
【００２４】
［複合機１０の概略構成］
図１に示されるように、複合機１０は、下部に設けられたプリンタ部１１と、上部に設けられたスキャナ部１２と、正面上部に設けられた操作パネル１４とを備えている。なお、本実施形態においては、矢印１０１で示される方向が複合機１０の幅方向であり、矢印１０２で示される方向が複合機１０の高さ方向であり、矢印１０３で示される方向が複合機１０の奥行き方向である。また、図１においては、トレイ１１０が挿入される状態の複合機１０が示されている。
【００２５】
複合機１０は、プリント機能、スキャン機能、ファクシミリ機能及びコピー機能などの各種の機能を有している。プリント機能は、プリンタ部１１によって発揮される。このプリンタ部１１は、インクジェット方式によって画像記録を行う。なお、複合機１０においてプリント機能以外の機能は任意であり、例えば、スキャン機能やコピー機能、ファクシミリ機能を有しないプリント機能のみを有するプリンタとして本発明の画像記録装置が実施されてもよい。
【００２６】
プリンタ部１１の正面に開口１３が形成されている。この開口１３の内部に給紙カセット２０が着脱可能に設けられている。給紙カセット２０の詳細な構成については後述されるが、給紙カセット２０に装填された記録用紙が、後述される搬送機構によってプリンタ部１１内を搬送される。この搬送過程において、記録用紙に画像記録が行われる。
【００２７】
スキャナ部１２は、いわゆるフラットベッドスキャナとして構成されているが、スキャナ部１２の構成は、本発明に直接に関係しないので、ここでは詳細な説明が省略される。
【００２８】
操作パネル１４は、プリンタ部１１やスキャナ部１２を操作するためのものであって、各種操作ボタンや液晶表示部を備えている。ユーザは、操作パネル１４を操作することにより各種機能の設定や動作を実行することができる。例えば、ユーザは、記録用紙に画像記録を行うか、トレイ１１０に保持されたコンパクトディスク１１１（以下、「ＣＤ１１１」と略される。）に画像記録を行うかのモード設定などを操作パネル１４への入力によって複合機１０に指示することができる。記録用紙は、本発明におけるシートの一例である。ＣＤ１１１は、本発明における薄板形状の被記録部材の一例である。
【００２９】
［プリンタ部１１の内部構成］
図２に示されるように、プリンタ部１１は、給紙カセット２０と、給紙カセット２０から給送された記録用紙が搬送される第１搬送路２３と、トレイ１１０が搬送される第２搬送路２４と、第１搬送路２３に設けられた記録部２５と、第１搬送路２３に設けられた搬送ローラ対２６と、搬送ローラ対２６より装置の背面側に設けられたガイドローラ２７と、搬送ローラ対２６のうちの従動ローラ４６を支持する支持機構２８とを備えている。第１搬送路２３、第２搬送路２４、搬送ローラ対２６、ガイドローラ２７及び支持機構２８によって、本発明に係る搬送装置が構成されている。第１搬送路２３が、本発明における第１経路に相当し、第２搬送路２４が、本発明における第２経路に相当する。また、搬送ローラ対２６が本発明における搬送手段に相当し、支持機構２８が本発明における第２支持機構に相当する。
【００３０】
［給紙カセット２０］
給紙カセット２０は、プリンタ部１１の底側に配置されている。給紙カセット２０は、上面の一部が開口された矩形の箱状である。給紙カセット２０の内部空間２１には、複数枚の記録用紙が積層された状態に載置される。給紙カセット２０に積載された記録用紙は、給紙ローラ３０によって第１搬送路２３に給送される。
【００３１】
排紙トレイ２２は、給紙カセット２０の上面の一部として構成されている。第１搬送路２３から排出された記録用紙は、排紙トレイ２２に積載される。
【００３２】
［第１搬送路２３］
図２に示されるように、第１搬送路２３は、記録用紙が湾曲されて案内される湾曲部３２と、記録用紙が直線状に延びて案内される直線部３３とを有する。湾曲部３２は、給紙カセット２０の奥側から上方へ向かって延びながら装置正面側（図２における右側）へ湾曲している。直線部３３は、湾曲部３２から装置正面側へ向かって排紙トレイ２２付近まで直線状に延びている。記録用紙は給紙カセット２０から湾曲部３２及び直線部３３へ順次搬送される。つまり、湾曲部３２及び直線部３３は、記録用紙が搬送される向きに沿って順に連続して配置されている。この湾曲部３２及び直線部３３によって、第１搬送路２３は、いわゆるＵターンパスを形成している。
【００３３】
湾曲部３２及び直線部３３は、記録部２５やガイドローラ２７等が配置されている箇所以外は、外側ガイド面と内側ガイド面とによって区画形成されている。なお、図２においては、外側ガイド面及び内側ガイド面を構成する各ガイド部材が省略されている。
【００３４】
［第２搬送路２４］
図２に示されるように、第２搬送路２４は、第１搬送路２３の直線部３３から装置奥側へ直線状に延びている。第２搬送路２４も、外側ガイド面と内側ガイド面とによって区画形成されているが、図２においては、外側ガイド面及び内側ガイド面を構成する各ガイド部材が省略されている。第２搬送路２４は、ガイドローラ２７が配置されている箇所付近で第１搬送路２３と交差している。各図には現れていないが、第１搬送路２３は、第２搬送路２４と交差する箇所に、トレイ１１０が通過可能な開口を有する。この開口は、例えばフラップなどによって適宜開閉される。
【００３５】
［給紙ローラ３０］
図２に示されるように、給紙ローラ３０は、給紙アーム３１の先端に回転自在に軸支されている。給紙ローラ３０は、給紙アーム３１の回動によって給紙カセット２０の内部空間２１へ進入して、内部空間２１に積載された最上位置の記録用紙と接触する。給紙ローラ３０は、図示されていないモータから駆動伝達されて回転される。給紙ローラ３０が給紙カセット２０の記録用紙に圧接された状態で給紙ローラ３０が回転されると、給紙ローラ３０との摩擦力によって、最上位置の記録用紙が第１搬送路２３へ給送される。
【００３６】
［ガイドローラ２７］
第１搬送路２３の湾曲部３２には、湾曲内側にガイドローラ２７が設けられている。このガイドローラ２７は、支持機構３５に支持されて第１姿勢と第２姿勢とに姿勢変化される。第１姿勢とは、湾曲部３２から搬送ローラ対２６へ向かって搬送される記録用紙に当接してガイドローラ２７が回転する姿勢である。第２姿勢とは、搬送ローラ対２６に挟持されて直線部３３から第２搬送路２４へ搬送されるトレイ１１０をガイドローラ２７が支持する姿勢である。この支持機構３５が、本発明における第１支持機構に相当する。
【００３７】
図３及び図４に示されるように、２個のガイドローラ２７が装置の幅方向１０１において離間されて配置されている。この各ガイドローラ２７の配置は、記録用紙及びトレイ１１０が通過する位置に対応して設定されている。各ガイドローラ２７は、フレーム２９に設けられた支持機構３５によってそれぞれ支持されている。各ガイドローラ２７及び支持機構３５は、幅方向１０１における配置が異なる他は同様の構成なので、一方のガイドローラ２７及び支持機構３５を一例として、その詳細な構成が説明される。
【００３８】
図３から図５に示されるように、フレーム２９には、第１アーム３６を支持する一対の支持部３７，３８が、高さ方向１０２に沿って上向きに突出されている。この支持部３７，３８の間に第１アーム３６が配置されている。第１アーム３６は、幅方向１０１に沿ってそれぞれ外側へ突出する支軸３９，４０を有する。この支軸３９，４０が、支持部３７，３８に回転自在にそれぞれ支持されている。第１アーム３６は、支持部３７，３８に支持された状態において、支軸３９，４０を中心として回動自在である。
【００３９】
第１アーム３６の上端側は、ガイドローラ２７に対応して切り欠かれており、その幅方向１０１の両端に軸支部４１，４２が設けられている。この軸支部４１，４２に支軸４３が架け渡されて支持されている。この支軸４３がガイドローラ２７に対して挿通されており、ガイドローラ２７は支軸４３に対して回転自在である。
【００４０】
前述された支持機構３５にガイドローラ２７が支持されて、第１アーム３６の回動に伴って、ガイドローラ２７が第１姿勢と第２姿勢とに姿勢変化される。また、各図には現れていないが、第１アーム３６の支軸３９，４０にはネジリコイルバネが設けられており、このネジリコイルバネによって、第１アーム３６が第１姿勢側へ付勢されている。また、第１姿勢側へ付勢されている第１アーム３６は、第１姿勢において支持部３７，３８と当接する。したがって、第１アーム３６は、このネジリコイルバネの付勢力に抗する外力を受けない限りは、ガイドローラ２７を第１姿勢に維持する。この支持部３７，３８が、本発明における規制部材に相当する。
【００４１】
ガイドローラ２７は、直線部３３から第２搬送路２４へ向かうトレイ１１０が当接することによって、ネジリコイルバネによる付勢に抗して第２姿勢へ姿勢変化される。この第２姿勢において、ガイドローラ２７は、第１姿勢より搬送ローラ対２６から離れた位置へ移動する。
【００４２】
［搬送ローラ対２６］
搬送ローラ対２６は、第１搬送路２３の直線部３３において、記録用紙の搬送向きにおいて記録部２５より上流側に配置されており、記録用紙又はトレイ１１０を挟持して搬送するものである。搬送ローラ対２６は、駆動ローラ４５と従動ローラ４６とを有する。
【００４３】
駆動ローラ４５と従動ローラ４６とは、ほぼ高さ方向１０２に沿って対向されて対をなしている。駆動ローラ４５は、幅方向１０１に沿って延びる１本のローラであり、記録用紙及びトレイ１１０の幅より十分に長い。駆動ローラ４５は、図示されていないモータから駆動伝達されて回転する。
【００４４】
図３及び図４に示されるように、従動ローラ４６は、駆動ローラ４５のほぼ下側において、幅方向１０１に沿って複数が設けられている。各従動ローラ４６は、隣り合う一対を一組として、支持機構２８に支持されている。各従動ローラ４６及び支持機構２８は、幅方向１０１における配置が異なる他は同様の構成なので、一対の従動ローラ４６及び支持機構２８を一例として、その詳細な構成が説明される。
【００４５】
各図には現れていないが、フレーム２９には、第２アーム４７を支持する一対の部材が設けられており、この部材の間に第２アーム４７が配置されている。第２アーム４７は、幅方向１０１に沿ってそれぞれ外側へ突出する支軸４８，４９を有する。この支軸４８，４９が、支持部に回転自在にそれぞれ支持されている。第２アーム４７は、支持部に支持された状態において、支軸４８，４９を中心として回動自在である。
【００４６】
第２アーム４７の支軸４８，４９は、駆動ローラ４５より湾曲部３２側に配置されており、第２アーム４７は、支軸４８，４９から駆動ローラ４５の下方へ向かって延出されている。第２アーム４７の延出端側は、一対の従動ローラ４６に対応して２つの切欠きが設けられており、幅方向１０１に沿って軸支部５０，５１，５２が所定の間隔で設けられている。この軸支部５０，５１，５２に支軸５３が架け渡されて支持されている。この支軸５３が一対の従動ローラ４６に対してそれぞれ挿通されており、従動ローラ４６は支軸５３に対して回転自在である。一対の従動ローラ４６は、一方が軸支部５０，５１間に配置されており、他方が軸支部５１，５２間に配置されている。
【００４７】
図５に示されるように、第２アーム４７とフレーム２９との間にはネジリコイルバネ５４が設けられている。ネジリコイルバネ５４によって、第２アーム４７が上側へ回動するように付勢されて、第２アーム４７に支持された一対の従動ローラ４６が駆動ローラ４５に圧接される。従動ローラ４６が駆動ローラ４５に圧接する姿勢が、第３姿勢と称される。駆動ローラ４５と従動ローラ４６との間にトレイ１１０が進入すると、ネジリコイルバネ５４の付勢力に抗して、第２アーム４７がトレイ１１０の厚み分だけ下側へ押し下げられて、従動ローラ４６が駆動ローラ４５から離れる。トレイ１１０の厚み分だけ従動ローラ４６が駆動ローラ４５から離れた姿勢が、第４姿勢と称される。
【００４８】
図５に示されるように、第３姿勢において、従動ローラ４６は、支軸４８，４９より上側に位置している。第３姿勢から第４姿勢へ第２アーム４７が回動すると、従動ローラ４６は、第２アーム４７の延出長さを半径として、支軸４８，４９を中心とする円弧上に沿って移動し、第４姿勢においては、第３姿勢よりガイドローラ２７との奥行き方向１０３に沿った距離が離れた位置へ移動する（図８参照）。
【００４９】
［排紙ローラ４４、拍車５８］
図２に示されるように、第１搬送路２３の直線部３３には、排紙ローラ４４及び拍車５８が設けられている。排紙ローラ４４及び拍車５８は、記録用紙の搬送向きにおいて記録部２５より下流側に配置されている。排紙ローラ４４及び拍車５８は高さ方向１０３に対をなして配置されている。拍車５８は、排紙ローラ４４に対して接離可能であって、排紙ローラ４４に圧接するようにバネ付勢されている。排紙ローラ４４は、図示されていないモータから駆動伝達されて回転される。排紙ローラ４４の回転は駆動ローラ４５の回転と同期されている。排紙ローラ４４及び拍車５８に挟持された記録用紙は、排紙ローラ４４の回転を受けて排紙トレイ２２へ向かって搬送される。
【００５０】
［記録部２５］
図２に示されるように、記録部２５は、第１搬送路２３の直線部３３に配置されており、キャリッジ５５及びプラテン５６を備えている。キャリッジ５５は、直線部３３を挟んでプラテン５６の上側に配置されている。キャリッジ５５には、記録ヘッド５７が搭載されている。同図には現れていないが、記録ヘッド５７は、インク滴を吐出するノズルを有している。このノズルの開口がプラテン５６側へ露出された状態で、記録ヘッド５７がキャリッジ５５に搭載されている。キャリッジ５５は、図示されていないモータから駆動伝達されて、記録ヘッド５７とともに幅方向１０１（図２において紙面に垂直な方向）へ往復移動する。キャリッジ５５が移動されながら、記録ヘッド５７から微小なインク滴がプラテン５６上の記録用紙へ向かって選択的に吐出される。吐出されたインク滴が記録用紙又はＣＤ１１１に着弾することによって、記録用紙又はＣＤ１１１に画像が記録される。なお、インクは、図示されていないインクカートリッジから記録ヘッド５７へ供給される。
【００５１】
［トレイ１１０］
図６に示されるように、トレイ１１０は、ＣＤ１１１より大きな平板であり、その上面にトレイ１１０が嵌め込まれる凹嵌部１１２が形成されている。凹嵌部１１２は、ＣＤ１１１に合致するドーナツ形状の溝であり、この凹陥部１１２にＣＤ１１１が嵌め込まれることによって、トレイ１１０にＣＤ１１１が固定されて、トレイ１１０の上面側にＣＤ１１１の印刷面が露出される。
【００５２】
トレイ１１０において、複合機１０に挿入される先端部１１３は、先端の厚みが薄く、後端へ向かって厚みが次第に増すようなテーパ形状である。このテーパ形状によって、搬送ローラ対２６の間に先端部１１３が進入しやすい。先端部１１３には、幅方向１０１に沿った２カ所に切欠き１１４，１１５が設けられている。この切欠き１１４，１１５の配置及び大きさは、２個のガイドローラ２７に対応して設定されている。切欠き１１４，１１５の奥面は、ほぼ高さ方向１０３に沿っている。この切欠き１１４，１１５の奥面が、後述されるＣＤ１１１への画像記録において各ガイドローラ２７のローラ面に当接される。
【００５３】
［記録用紙への画像記録］
記録用紙に画像記録が行われるときには、図２及び図５に示されるように、ガイドローラ２７は第１姿勢であり、従動ローラ４６は第３姿勢である。図示されていないモータの回転を受けて給紙ローラ３０、駆動ローラ４５及び排紙ローラ４４が所定のタイミングで回転されて、給紙カセット２０から第１搬送路２３へ記録用紙が給送される。第１搬送路２３の湾曲部３２を搬送される記録用紙がガイドローラ２７へ到達すると、記録用紙はガイドローラ２７に接触しながら搬送ローラ対２６へ向かって搬送される。記録用紙の摺接によってガイドローラ２７が回転するので、第１搬送路２３を搬送される記録用紙への摺動摩擦が軽減される。
【００５４】
記録用紙の先端が搬送ローラ対２６へ到達すると、従動ローラ４６が記録用紙の厚み分だけ若干退避して、記録用紙が搬送ローラ対２６によって挟持される。この状態で駆動ローラ４５の回転が記録用紙に伝達されて、記録用紙がプラテン５６上へ搬送される。プラテン５６上に記録用紙が搬送されると、駆動ローラ４５が間欠して回転される。駆動ローラ４５が停止されている間に、キャリッジ５５が幅方向１０１へ往復移動され、その往復移動の間に記録ヘッド５７からプラテン５６上の記録用紙へインク滴が選択的に吐出される。このような駆動ローラ４５の間欠した回転とキャリッジの往復移動が繰り返されることによって、記録用紙の所望の位置に所望の画像が記録される。画像記録が行われた記録用紙は、排紙ローラ４４及び拍車５８に挟持されて、排紙トレイ２２上へ排出される。
【００５５】
［ＣＤ１１１への画像記録］
ＣＤ１１１に画像記録が行われるときには、図１に示されるように、ＣＤ１１１が、予めトレイ１１０に載置される。図示されていないモータの回転を受けて駆動ローラ４５及び排紙ローラ４４が所定のタイミングで回転される。図１に示されるように、トレイ１１０は、装置の正面側の開口１３から第１搬送路２３の直線部２４へ挿入されるので、駆動ローラ４５及び排紙ローラ４４が回転される向きは、記録用紙が搬送される向きと逆向きである。図７に示されるように、第１搬送路２３の直線部２４に挿入されたトレイ１１０は、排紙ローラ４４及び拍車５８に挟持されて、プラテン５６上へ搬送される。
【００５６】
トレイ１１０の先端部１１３が搬送ローラ対２６へ到達すると、その先端部１１３が駆動ローラ４５及び従動ローラ４６との間へ進入して、図８に示されるように、従動ローラ４６が、ネジリコイルバネ５４の付勢力に抗して下方へ押し下げられる。つまり、従動ローラ４６が、第３姿勢から第４姿勢へ姿勢変化される。この姿勢変化において、従動ローラ４６は、ガイドローラ２７から奥行き方向１０３において遠ざかる向きへ移動する。駆動ローラ４５と従動ローラ４６とに挟持されたトレイ１１０は、駆動ローラ４５の回転を受けて、装置正面側から背面側（図７における左側）へ搬送される。
【００５７】
図７及び図８に示されるように、トレイ１１０の先端部１１３がガイドローラ２７へ到達すると、先端部１１３の切欠き１１４，１１５の奥面がガイドローラ２７に当接する。そして、図９及び図１０に示されるように、さらにトレイ１１０が搬送されることによって、ガイドローラ２７がトレイ１１０によって、ネジリコイルバネの付勢力に抗して斜め下方へ押し下げられる。つまり、ガイドローラ２７が第１姿勢から第２姿勢に姿勢変化される。この姿勢変化において、ガイドローラ２７は、搬送ローラ対２６から奥行き方向１０３において遠ざかる向きへ移動する。第２姿勢のガイドローラ２７は、トレイ１１０を下方から支持する。また、トレイ１１０の搬送に伴って回転する。
【００５８】
トレイ１１０に載置されたＣＤ１１１の後端（図９における右端側の端）が、記録ヘッド５７の直下を通過すると、駆動ローラ４５及び排紙ローラ４４が停止されて逆転される。これにより、トレイ１１０は、先端１１３と後端とが逆転して、装置背面側から装置正面側（図９における右側）へ搬送される。トレイ１１０に載置されたＣＤ１１１が記録ヘッド５７の直下へ再び搬送されると、駆動ローラ４５が間欠して回転される。駆動ローラ４５が停止されている間に、キャリッジ５５が幅方向１０１へ往復移動され、その往復移動の間に記録ヘッド５７からトレイ１１０上のＣＤ１１１へインク滴が選択的に吐出される。このような駆動ローラ４５の間欠した回転とキャリッジの往復移動が繰り返されることによって、ＣＤ１１１の所望の位置に所望の画像が記録される。画像記録が行われたＣＤ１１１は、トレイ１１０に載置された状態で、装置正面側へ排出される。
【００５９】
［本実施形態の作用効果］
本実施形態に係る複合機１０によれば、第１姿勢のガイドローラ２７が第１搬送路２３を搬送される記録用紙に当接して回転することによって、湾曲部３２を搬送される記録用紙の摺動摩擦が小さくなり、かつ、第２姿勢のガイドローラ２７がトレイ１１０を支持することによって、トレイ１１０が安定して搬送される。これにより、記録用紙の摺動摩擦を軽減されると共に、トレイ１１０が安定して搬送される。
【００６０】
また、支持機構３５によって、第２姿勢のガイドローラ２７が、第１姿勢より搬送ローラ対２６から奥行き方向１０３へ離れた位置へ移動されるので、搬送ローラ対２６と第２姿勢のガイドローラ２７との奥行き方向１０３に沿った距離が長くなる。これにより、トレイ１１０がより安定して搬送される。
【００６１】
また、支持機構２８によって、第４姿勢の従動ローラ４６が、第３姿勢よりガイドローラ２７から奥行き方向１０３へ離れた位置へ移動されるので、従動ローラ４６と第２姿勢のガイドローラ２７との奥行き方向１０３に沿った距離が長くなる。これにより、トレイ１１０がより安定して搬送される。
【００６２】
また、ガイドローラ２７が、直線部３３から第２搬送路２４へ向かうトレイ１１０が当接することによって、ネジリコイルバネによる付勢に抗して第２姿勢へ姿勢変化されるので、ガイドローラ２７を姿勢変化させるための駆動力を入力することなく、記録用紙が搬送される際にはガイドローラ２７が第１姿勢にされ、トレイ１１０が搬送される際にはガイドローラ２７が第２姿勢にされる。
【００６３】
なお、本実施形態においては、ガイドローラ２７が第１搬送路２３の湾曲内側に配置されているが、本発明において、ガイドローラ２７は第１搬送路２３の湾曲外側に配置されてもよい。
【符号の説明】
【００６４】
１１・・・プリンタ部（画像記録装置）
２３・・・第１搬送路（第１経路）
２４・・・第２搬送路（第２経路）
２５・・・記録部
２６・・・搬送ローラ対（搬送手段）
２７・・・ガイドローラ
２８・・・支持機構（第２支持機構）
２９・・・フレーム
３１・・・給紙アーム
３２・・・湾曲部
３３・・・直線部
３５・・・支持機構（第１支持機構）
３７，３８・・・支持部（規制部材）
４５・・・駆動ローラ
４６・・・従動ローラ
１１０・・・トレイ
１１１・・・ＣＤ（薄板形状の被記録部材）
【図１】
2011031996.tif 000003
【図２】
2011031996.tif 000004
【図３】
2011031996.tif 000005
【図４】
2011031996.tif 000006
【図５】
2011031996.tif 000007
【図６】
2011031996.tif 000008
【図７】
2011031996.tif 000009
【図８】
2011031996.tif 000010
【図９】
2011031996.tif 000011
【図１０】
2011031996.tif 000012